(57)【要約】      （修正有）【課題】天然素材を用いたＣＯ２を増やすことがない洗浄グッズを提供する。【解決手段】乾燥すると非常に硬く、かなりな摩擦に耐える一方で、水分を含むと柔らかくなる性質を持つ乾燥したヘチマの果肉部分を、水分を含むと、柔らかくなる性質を持ち、触れる物質に馴染み、添う、ネット状に織った麻で幾重にも巻き、洗浄に使用する。【選択図】図１
0003202809.tif 000002
【実用新案登録請求の範囲】
【請求項１】
ヘチマを麻で包んだ洗浄グッズ。
【考案の詳細な説明】
【技術分野】
【０００１】
本発明は、全ての手洗い洗浄時に  天然由来洗浄グッズに関する。
【背景技術】
【０００２】
石炭に継ぐ石油の発見・発掘・利用は、大きく人類の生活を変えて来ました。とりわけ、石油は、瞬く間にあるあらゆる分野に浸透、姿を変えて。私達人類は、その恩恵に浴してきました。
【０００３】
しかし、今世紀に入り、それには負の側面が、大きく生物の生存に拘ることを知ることとなりました。そこから発するCO2は、もはや、気候変動を起こす元凶となっていることを否定できないまでになっています。
それは、地球温暖化を招き、永久凍土、北極、南極の氷を溶かし、南の小さな島に住む人々の生存をも脅かすまでになってきています。
【０００４】
石油から作られるポリエステルを筆頭の化学繊維は、安価な糸となり、毛・木綿・絹・麻にとって代わり、大量生産による安価な衣服は、多くの人々に経済的恩恵を与える画期的なアイテムになりました。
【０００５】
アクリルは、その中でも、毛に代わる暖を取る衣服になりました。
そのアクリルは、「洗剤不要の台所グッズ」と、一主婦の発案で、センセーショナルに登場。今でも、キッチン用品売り場の一角を占めています。
【０００６】
石油は、食器、キッチン用品は、言うに及ばす、驚くほど多岐な分野で利用。
ポリプロピレンからなる、プラスティック製品は、全ての家庭から、軽・重工業部品にまで浸透しています。そのプラスティック製品に付着した油脂は、残念ながら、洗剤不要のグッズでは、洗い流すことは出来ない事に、多くの主婦や、他分野の洗浄に携わる人々の知るところとなったと思われます。
【０００７】
そして、COPで、叫ばれる、CO2削減。ささやかで、小さな動きかも知れませんが、「自然に戻ろう」という運動が始まっているのも、感じられます。なお、天然素材を用いた洗浄具には特開平10-108821号公報に開示された技術があります。
【先行技術文献】
【特許文献】
【０００８】
【特許文献１】H01-108821号公報
【考案の概要】
【考案が解決しようとする課題】
【０００９】
石油は、食器、キッチン用品は、言うに及ばす、驚くほど多岐な分野で利用され、
ポリプロピレンからなる、プラスティック製品は、全ての家庭から、軽・重工業部品にまで浸透しています。しかし、プラスティック製品は結局のところ、炭酸ガスになります。そして、COPで、叫ばれる、CO2削減に逆行するものです。ささやかで、小さな動きかも知れませんが、「自然に戻ろう」という運動が始まっているのも、感じられます。
【課題を解決するための手段】
【００１０】
古来より、我が国日本では、洗浄グッズに植物そのものの繊維、或いは樹皮を使ってきました。今でも、ほとんどの家庭や、洗浄を必要とするのに使われる「たわし」も、棕櫚の樹皮から作られています。そして、好事家の間では、身体を洗うのに、こちらも古来より使われてきた、ウリ科の植物「ヘチマ」を「使われています。
【００１１】
また、抗菌作用を持つ「麻」は、今なお蚊帳に使われます。
丈夫な麻は、ロープや、様々な袋になり、台所では、蚊帳仕様生地を幾重にも重ねて、布巾（主として、台布巾）として使われています。食用にもなる「ヘチマ」ですが、乾燥すると、その繊維は、非常に硬く、かなりな摩擦に耐える一方で、水分を含むと柔らかくなる性質を持っています。
【００１２】
「麻」もまた、乾燥時には考えられない、水分を含むと、柔らかくなる性質を持ち、触れる物質に馴染み、添います。アクリルグッズにとって代わる洗浄グッズとして、乾燥したヘチマの果肉部分をネット状に織った麻で幾重にも巻き、およそ洗浄という洗浄の場面に、それは食器や器具を、あるいは身体を傷つけることなく、目的を果たすと勘案しました。
【００１３】
CO2を増やさない素材を使用した本発明は、ヘチマを麻で包んだ洗浄グッズです。
【考案の効果】
【００１４】
本考案は植物である、ヘチマと麻からできており、地球上の炭酸ガスを増やすことはありません。
【図面の簡単な説明】
【００１５】
【図１】加工前のヘチマである。
【図２】ヘチマの皮をむいて、果肉を乾燥したものです。
【図３】麻で作ったネットです。Bは乾燥したヘチマ、Dは麻の袋である。
【図４】麻で作ったネットに果肉を乾燥したものを入れたものです。  （台所で使用）Bは乾燥したヘチマ、Dは麻の袋です。
【図５】麻で作ったネットに果肉を乾燥したものを入れたものです。紐をつけています。  （体を洗うもの）
【考案を実施するための形態】
【実施例】
【００１６】
図１は、加工前のヘチマである。
図２は、ヘチマの皮をむいて、果肉を乾燥したものです。
図３は、麻で作ったネットです。
図４は、図３に示した麻で作ったネットに図２に示したヘチマの皮をむいて、果肉を乾燥したヘチマを入れたものです。Dは、５ｃｍ×１０ｃｍ×１ｃｍ、D’ は、10ｃｍ×20ｃｍ×１ｃｍです。
図５は、麻で作ったネットに果肉を乾燥したものを入れたものです。紐をつけています。  体を洗うものです。）Bは乾燥したヘチマ、Dは麻の袋です。
【００１７】
ヘチマも麻も水分を含むと、柔らかくなる性質から、どのような形態のものの洗浄にも耐えます。それぞれ、単一でも使えるものではありますが、それぞれを組合すことで、
適度な硬さを有し、少なからず力を必要とする場面に双方の利点が発揮されます。
【００１８】
CO2の問題において、
ヘチマも麻も植物なるがゆえに成長時にCO2を吸収するため、広大な森林火災のような場合と違い、個々の焼却に於いては、CO2  排出ゼロとみなされます。土中に埋葬しても、それは微生物によって分解されますから、全く地球を汚染しません。それ以上に、次世代の植物の栄養となりさえします。
【００１９】
試作品を作って、使用の結果は、水分を含んだ柔らかい麻地に、ヘチマのほどよい硬さのマッチングが、付着した汚れ（油脂も）を、落とします。  熱湯でなくとも、程よいお湯の温度があれば、現在は、洗剤は全く不使用です。
【００２０】
油脂と洗剤の化学反応で、排水管にヘドロが付着、それを除去するために、新たな化学薬品を使用して、下水は汚染される一方です。河川の浄化に、国や各自治体は、そのための予算を計上しなくてはならず、その財源は税金。国民一人一人の意識と行動が、税金の使い方に大きく拘ることを知らなくてはなりません。
【００２１】
石油製品が、大きく私たちの生活に寄与していることは否めませんが、恩恵を享受しつつ、天然素材に移行できるものは、積極的にするのが、今世紀を生きる私達の、地球への恩返しであり、労りでもあると愚考する所存です。
【００２２】
入浴時に使う、好事家が好むヘチマに、肌に優しい麻にくるまれたヘチマの登場は、格別な感触を与えられるでしょう。病院・レストラン・学校・ありとあらゆる場面に登場する水（湯）洗い。そこに、アクリルやレーヨンの石油製品グッズから、麻とヘチマに代わるグッズを広めたいものです。
【００２３】
家庭に置いては、台所用、洗面所用、浴室用をセットに提供したいと考えています。
身体洗浄用には、図で描いたように、両手で持てるように（洗えるように）、紐をつけます。
【００２４】
今回の作ったものは、縦横10cm〜２０cm位、厚みは１ｃｍ〜２ｃｍ位です。麻はかやのようなメッシュのものを3層から7層の範囲をためしましたが、５層が最適でした。
【図１】
0003202809.tif 000003
【図２】
0003202809.tif 000004
【図３】
0003202809.tif 000005
【図４】
0003202809.tif 000006
【図５】
0003202809.tif 000007